(57)【要約】【課題】ショッピングカートの上部籠載置フレームより、買い物籠を持ち上げることなく、レジカウンター上に移載することができるようにする。【解決手段】上部籠載置フレーム３は、少なくとも１個の買い物籠を載置できる巾と長さを有するネット状の籠載置部７を備え、且つ前記上部籠載置フレーム３の先端縁に先端側ストッパー柵８を突設すると共に、該先端側ストッパー柵８の一方側の端縁と前記支柱フレーム２とを連結するようにして一方側ストッパー柵９を突設し、且つ前記上部籠載置フレーム３の基端縁に基端側ストッパー柵１０を突設して、前記先端側ストッパー柵８の他方側の端縁から前記支柱フレーム２まで達する開口部１１を設け、更に、前記籠載置部７は、前記開口部１１側寄りに頂部７ａが偏位した短い傾斜面１２と、該短い傾斜面１２の前記一方側ストッパー柵９寄りに長い傾斜面１３とを連設して形成する。【選択図】図１
2008120191.tif 000002
【特許請求の範囲】
【請求項１】
ハンドルを上方に備えた支柱フレームの前方側に上下２段に亘って、上・下部籠載置フレームが間隔を有して突設され、且つ前記上部籠載置フレームは、レジカウンターより高い位置に配設されると共に、前記下部籠載置フレームの下面の各隅角部に、それぞれ４個のキャスターを回転自在に装置して形成されたショッピングカートにおいて、
上部籠載置フレームは、少なくとも１個の買い物籠を載置できる巾と長さを有するネット状の籠載置部を備え、且つ前記上部籠載置フレームの先端縁に先端側ストッパー柵を突設すると共に、該先端側ストッパー柵の一方側の端縁と前記支柱フレームとを連結するようにして一方側ストッパー柵を突設し、且つ前記上部籠載置フレームの基端縁に基端側ストッパー柵を突設して、前記先端側ストッパー柵の他方側の端縁から前記支柱フレームまで達する開口部を備えて形成する一方、前記籠載置部は、前記開口部側寄りに頂部が偏位した短い傾斜部と、該短い傾斜部の前記一方側ストッパー柵寄りに長い傾斜部とを連設して形成したことを特徴とするショッピングカート。
【請求項２】
ハンドルを上方に備えた支柱フレームの前方側に上下２段に亘って、上・下部籠載置フレームが間隔を有して突設され、且つ前記上部籠載置フレームは、レジカウンターより高い位置に配設されると共に、前記下部籠載置フレームの下面の各隅角部に、それぞれ４個のキャスターを回転自在に装置して形成されたショッピングカートにおいて、
上部籠載置フレームは、少なくとも１個の買い物籠を載置できる巾と長さを有するネット状の籠載置部を備え、且つ前記上部籠載置フレームの先端縁に先端側ストッパー柵を突設すると共に、該先端側ストッパー柵の一方側の端縁と前記支柱フレームとを連結するようにして一方側ストッパー柵を突設し、且つ前記上部籠載置フレームの基端縁に基端側ストッパー柵を突設して、前記先端側ストッパー柵の他方側の端縁から前記支柱フレームまで達する開口部を備えて形成する一方、前記籠載置部は、前記開口部側寄りに頂部が偏位した長い傾斜部と、該長い傾斜部の前記一方側ストッパー柵寄りに短い傾斜部とを連設して形成したことを特徴とするショッピングカート。
【請求項３】
ハンドルを上方に備えた支柱フレームの前方側に上下２段に亘って、上・下部籠載置フレームが間隔を有して突設され、且つ前記上部籠載置フレームは、レジカウンターより高い位置に配設されると共に、前記下部籠載置フレームの下面の各隅角部に、それぞれ４個のキャスターを回転自在に装置して形成されたショッピングカートにおいて、
上部籠載置フレームは、少なくとも１個の買い物籠を載置できる巾と長さを有するネット状の籠載置部を備え、且つ前記上部籠載置フレームの先端縁に先端側ストッパー柵を突設すると共に、該先端側ストッパー柵の一方側の端縁と前記支柱フレームとを連結するようにして一方側ストッパー柵を突設し、且つ前記上部籠載置フレームの基端縁に基端側ストッパー柵を突設して、前記先端側ストッパー柵の他方側の端縁から前記支柱フレームまで達する開口部を備えて形成する一方、前記籠載置部は、頂部を中央部に設けて、前記一方側ストッパー柵側と開口部側の傾斜角度を同一にして形成したことを特徴とするショッピングカート。
【請求項４】
ハンドルを上方に備えた支柱フレームの前方側に上下２段に亘って、上・下部籠載置フレームが間隔を有して突設され、且つ前記上部籠載置フレームは、レジカウンターより高い位置に配設されると共に、前記下部籠載置フレームの下面の各隅角部に、それぞれ４個のキャスターを回転自在に装置して形成されたショッピングカートにおいて、
上部籠載置フレームは、少なくとも１個の買い物籠を載置できる巾と長さを有するプレート状の籠載置部を備え、且つ前記上部籠載置フレームの先端縁に先端側ストッパー柵を突設すると共に、該先端側ストッパー柵の一方側の端縁と前記支柱フレームとを連結するようにして一方側ストッパー柵を突設し、且つ前記上部籠載置フレームの基端縁に基端側ストッパー柵を突設して、前記先端側ストッパー柵の他方側の端縁から前記支柱フレームまで達する開口部を備えて形成する一方、前記籠載置部は、前記開口部側寄りに頂部が偏位した短い傾斜面と、該短い傾斜面の前記一方側ストッパー柵寄りに長い傾斜面とを連設して形成したことを特徴とするショッピングカート。
【請求項５】
ハンドルを上方に備えた支柱フレームの前方側に上下２段に亘って、上・下部籠載置フレームが間隔を有して突設され、且つ前記上部籠載置フレームは、レジカウンターより高い位置に配設されると共に、前記下部籠載置フレームの下面の各隅角部に、それぞれ４個のキャスターを回転自在に装置して形成されたショッピングカートにおいて、
上部籠載置フレームは、少なくとも１個の買い物籠を載置できる巾と長さを有するプレート状の籠載置部を備え、且つ前記上部籠載置フレームの先端縁に先端側ストッパー柵を突設すると共に、該先端側ストッパー柵の一方側の端縁と前記支柱フレームとを連結するようにして一方側ストッパー柵を突設し、且つ前記上部籠載置フレームの基端縁に基端側ストッパー柵を突設して、前記先端側ストッパー柵の他方側の端縁から前記支柱フレームまで達する開口部を備えて形成する一方、前記籠載置部は、前記開口部側寄りに頂部が偏位した長い傾斜面と、該長い傾斜面の前記一方側ストッパー柵寄りに短い傾斜面とを連設して形成したことを特徴とするショッピングカート。
【請求項６】
ハンドルを上方に備えた支柱フレームの前方側に上下２段に亘って、上・下部籠載置フレームが間隔を有して突設され、且つ前記上部籠載置フレームは、レジカウンターより高い位置に配設されると共に、前記下部籠載置フレームの下面の各隅角部に、それぞれ４個のキャスターを回転自在に装置して形成されたショッピングカートにおいて、
上部籠載置フレームは、少なくとも１個の買い物籠を載置できる巾と長さを有するプレート状の籠載置部を備え、且つ前記上部籠載置フレームの先端縁に先端側ストッパー柵を突設すると共に、該先端側ストッパー柵の一方側の端縁と前記支柱フレームとを連結するようにして一方側ストッパー柵を突設し、且つ前記上部籠載置フレームの基端縁に基端側ストッパー柵を突設して、前記先端側ストッパー柵の他方側の端縁から前記支柱フレームまで達する開口部を備えて形成する一方、前記籠載置部は、頂部を中央部に設けて、前記一方側ストッパー柵側と開口部側の傾斜角度を同一にして形成したことを特徴とするショッピングカート。
【発明の詳細な説明】
【技術分野】
【０００１】
本発明は、スーパーマーケット等で、買い物客が、商品を入れた買い物籠を載せて店内を移動するショッピングカートに関するものであり、特に買い物籠を持ち上げことなく、ショッピングカートから簡単に、スライドさせてレジカウンターに移載することができるショッピングカートに関するものである。
【背景技術】
【０００２】
従来、買い物客がスーパーマーケット等で買った商品を、ショッピングカート上に載置した買い物籠に入れて、買い終わると前記ショッピングカートをレジカウンターまで押して移動し、そして、買い物客が買い物籠をショッピングカートから持ち上げて、レジカウンター上に移載するようにしていた。前記ショッピングカートにおいては、買い物籠に入れた商品の重量が軽い場合はよいが、重い場合は、買い物籠を持ち上げてレジカウンターに移載するのが、特に老人や子供、あるいは腕に障害のある人の場合は非常に苦痛となっている。
【０００３】
そして、買い物籠を持ち上げことなく、ショッピングカートから簡単に、レジカウンターに移載することができるショッピングカートに関する過去の特許文献を遡及検索すると、下記の特許文献１に開示されたものが公知である。
【０００４】
前記特許文献１に開示されたショッピングカートは、上部籠載置フレームが、少なくとも２個の買い物籠を横方向に載置できる巾と長さを有するネット状またはプレート状の籠載置部を備え、且つ前記上部籠載置部の両側部に千鳥状に第1の開口部と第２の開口部とをそれぞれ設ける一方、前記第1の開口部側寄りに頂部が偏位して、短い傾斜部と長い傾斜部を備えた第1の山型傾斜部と、前記第２の開口部側寄りに頂部が偏位して、短い傾斜部と長い傾斜部を備えた第２の山型傾斜部を備えて形成されている。
【０００５】
【特許文献１】特開２００６−２２４６８９号公報
【発明の開示】
【発明が解決しようとする課題】
【０００６】
前記特許文献１に開示されたショッピングカートは、少なくとも２個の買い物籠を上部籠載置フレーム上に載置して使用するが、買い物客や店員が１つの買い物籠をレジカウンター上にスライドさせて移載させた後、更に前記上部籠載置フレーム上に残っている他の買い物籠をレジカウンター側の開口部まで押圧してスライドさせて移動させ、その後、前記と同様、レジカウンター上へスライドさせて移載させなければならず、面倒であるという課題があった。
【０００７】
前記特許文献１に開示されたショッピングカートの上部籠載置フレームは、２つの傾斜部と２つの開口部があるため、製造に手間がかかり、コストが高くなるという課題があった。
【０００８】
また、一方側ストッパー柵と他方側ストッパー柵は、開口部があるため、長さが籠載置部の略半分程度であると共に、開口部側の先端部が先端側ストッパー柵および支柱フレームに連結固定されていないので、強度が弱く、買い物籠の重量で折曲したり、折損したりして非常に危険であるという課題があった。
【０００９】
本発明は、前記課題を解決すべくなされたもので、買い物籠を持ち上げることなく、ショッピングカートの上部籠載置フレームより、該上部籠載置フレームよりは下方位置にあるレジカウンター上に、単に押圧して、あるいは引寄せて、スライドさせるのみで、重量のある買い物籠でも極めて簡単に、レジカウンター上に移載することができると共に、ストッパー柵が折曲したり、折損したりすることもなく、構造が簡単で、且つ製作容易なショッピングカートを提供しようとするものである。
【課題を解決するための手段】
【００１０】
本発明は、ハンドルを上方に備えた支柱フレームの前方側に上下２段に亘って、上・下部籠載置フレームが間隔を有して突設され、且つ前記上部籠載置フレームは、レジカウンターより高い位置に配設されると共に、前記下部籠載置フレームの下面の各隅角部に、それぞれ４個のキャスターを回転自在に装置して形成されたショッピングカートにおいて、上部籠載置フレームは、少なくとも１個の買い物籠を載置できる巾と長さを有するネット状の籠載置部を備え、且つ前記上部籠載置フレームの先端縁に先端側ストッパー柵を突設すると共に、該先端側ストッパー柵の一方側の端縁と前記支柱フレームとを連結するようにして一方側ストッパー柵を突設し、且つ前記上部籠載置フレームの基端縁に基端側ストッパー柵を突設して、前記先端側ストッパー柵の他方側の端縁から前記支柱フレームまで達する開口部を備えて形成する一方、前記籠載置部は、前記開口部側寄りに頂部が偏位した短い傾斜部と、該短い傾斜部の前記一方側ストッパー柵寄りに長い傾斜部とを連設して形成するという手段、
ハンドルを上方に備えた支柱フレームの前方側に上下２段に亘って、上・下部籠載置フレームが間隔を有して突設され、且つ前記上部籠載置フレームは、レジカウンターより高い位置に配設されると共に、前記下部籠載置フレームの下面の各隅角部に、それぞれ４個のキャスターを回転自在に装置して形成されたショッピングカートにおいて、上部籠載置フレームは、少なくとも１個の買い物籠を載置できる巾と長さを有するネット状の籠載置部を備え、且つ前記上部籠載置フレームの先端縁に先端側ストッパー柵を突設すると共に、該先端側ストッパー柵の一方側の端縁と前記支柱フレームとを連結するようにして一方側ストッパー柵を突設し、且つ前記上部籠載置フレームの基端縁に基端側ストッパー柵を突設して、前記先端側ストッパー柵の他方側の端縁から前記支柱フレームまで達する開口部を備えて形成する一方、前記籠載置部は、前記開口部側寄りに頂部が偏位した長い傾斜部と、該長い傾斜部の前記一方側ストッパー柵寄りに短い傾斜部とを連設して形成するという手段、
ハンドルを上方に備えた支柱フレームの前方側に上下２段に亘って、上・下部籠載置フレームが間隔を有して突設され、且つ前記上部籠載置フレームは、レジカウンターより高い位置に配設されると共に、前記下部籠載置フレームの下面の各隅角部に、それぞれ４個のキャスターを回転自在に装置して形成されたショッピングカートにおいて、上部籠載置フレームは、少なくとも１個の買い物籠を載置できる巾と長さを有するネット状の籠載置部を備え、且つ前記上部籠載置フレームの先端縁に先端側ストッパー柵を突設すると共に、該先端側ストッパー柵の一方側の端縁と前記支柱フレームとを連結するようにして一方側ストッパー柵を突設し、且つ前記上部籠載置フレームの基端縁に基端側ストッパー柵を突設して、前記先端側ストッパー柵の他方側の端縁から前記支柱フレームまで達する開口部を備えて形成する一方、前記籠載置部は、頂部を中央部に設けて、前記一方側ストッパー柵側と開口部側の傾斜角度を同一にして形成するという手段、
ハンドルを上方に備えた支柱フレームの前方側に上下２段に亘って、上・下部籠載置フレームが間隔を有して突設され、且つ前記上部籠載置フレームは、レジカウンターより高い位置に配設されると共に、前記下部籠載置フレームの下面の各隅角部に、それぞれ４個のキャスターを回転自在に装置して形成されたショッピングカートにおいて、上部籠載置フレームは、少なくとも１個の買い物籠を載置できる巾と長さを有するプレート状の籠載置部を備え、且つ前記上部籠載置フレームの先端縁に先端側ストッパー柵を突設すると共に、該先端側ストッパー柵の一方側の端縁と前記支柱フレームとを連結するようにして一方側ストッパー柵を突設し、且つ前記上部籠載置フレームの基端縁に基端側ストッパー柵を突設して、前記先端側ストッパー柵の他方側の端縁から前記支柱フレームまで達する開口部を備えて形成する一方、前記籠載置部は、前記開口部側寄りに頂部が偏位した短い傾斜面と、該短い傾斜面の前記一方側ストッパー柵寄りに長い傾斜面とを連設して形成するという手段、
ハンドルを上方に備えた支柱フレームの前方側に上下２段に亘って、上・下部籠載置フレームが間隔を有して突設され、且つ前記上部籠載置フレームは、レジカウンターより高い位置に配設されると共に、前記下部籠載置フレームの下面の各隅角部に、それぞれ４個のキャスターを回転自在に装置して形成されたショッピングカートにおいて、上部籠載置フレームは、少なくとも１個の買い物籠を載置できる巾と長さを有するプレート状の籠載置部を備え、且つ前記上部籠載置フレームの先端縁に先端側ストッパー柵を突設すると共に、該先端側ストッパー柵の一方側の端縁と前記支柱フレームとを連結するようにして一方側ストッパー柵を突設し、且つ前記上部籠載置フレームの基端縁に基端側ストッパー柵を突設して、前記先端側ストッパー柵の他方側の端縁から前記支柱フレームまで達する開口部を備えて形成する一方、前記籠載置部は、前記開口部側寄りに頂部が偏位した長い傾斜面と、該長い傾斜面の前記一方側ストッパー柵寄りに短い傾斜面とを連設して形成するという手段、
ハンドルを上方に備えた支柱フレームの前方側に上下２段に亘って、上・下部籠載置フレームが間隔を有して突設され、且つ前記上部籠載置フレームは、レジカウンターより高い位置に配設されると共に、前記下部籠載置フレームの下面の各隅角部に、それぞれ４個のキャスターを回転自在に装置して形成されたショッピングカートにおいて、上部籠載置フレームは、少なくとも１個の買い物籠を載置できる巾と長さを有するプレート状の籠載置部を備え、且つ前記上部籠載置フレームの先端縁に先端側ストッパー柵を突設すると共に、該先端側ストッパー柵の一方側の端縁と前記支柱フレームとを連結するようにして一方側ストッパー柵を突設し、且つ前記上部籠載置フレームの基端縁に基端側ストッパー柵を突設して、前記先端側ストッパー柵の他方側の端縁から前記支柱フレームまで達する開口部を備えて形成する一方、前記籠載置部は、頂部を中央部に設けて、前記一方側ストッパー柵側と開口部側の傾斜角度を同一にして形成するという手段、
のいずれかを採用することにより、上記課題を解決した。
【発明の効果】
【００１１】
本発明は、ショッピングカートの上部籠載置フレームの籠載置部の傾斜面を利用することにより、買い物籠を持ち上げることなく、該上部籠載置フレームよりは下方位置にあるレジカウンター上に、単に押圧して、あるいは引寄せてスライドさせるのみで、重量のある買い物籠でも極めて簡単に、レジカウンター上に移載することができ、特に老人や子供、または腕に障害のある人の苦痛を軽減することができる。また、籠載置部に重量がある買い物籠を載置しても、一方側ストッパー柵の強度が保持されているので、折曲したり、または折損したりすることもなく、該買い物籠が落下する虞れはない。また、上部籠載置フレームがプレート状の籠載置部を備えている場合は、その表面に広告を表示することができるので、広告効果を大ならしめることができる。
【実施例１】
【００１２】
本発明の実施例１を図面に基づいて詳細に説明する。図１は、本発明の実施例１におけるショッピングカートＳの全体の斜視図であり、ハンドル１を上方に備えた支柱フレーム２の前方側に、上下２段に亘って、上・下部籠載置フレーム３・４が間隔を有して突設され、且つ該下部籠載置フレーム４の下面の各隅角部には、それぞれ４個のキャスター５が回転自在なるよう装置されている。なお、前記上部籠載置フレーム３は、後述するレジカウンターＣよりやや高い位置に配設されている。
【００１３】
また、前記上部籠載置フレーム３は、少なくとも１個の買い物籠６を載置できる巾と長さを有するネット状の籠載置部７を備え、且つ前記上部籠載置フレーム３の先端縁に先端側ストッパー柵８を突設すると共に、該先端側ストッパー柵８の一方側の端縁と前記支柱フレームとを連結するようにして一方側ストッパー柵９を突設し、且つ前記上部籠載置フレーム３の基端縁に基端側ストッパー柵１０を突設して、前記先端側ストッパー柵８の他方側の端縁から前記支柱フレーム２まで達する開口部１１を設け、更に、前記籠載置部７は、図３・図４に示すように、前記開口部１１側寄りに頂部７ａが偏位した短い傾斜面１２と、該短い傾斜面１２の前記一方側ストッパー柵９寄りに長い傾斜面１３とを連設して形成されている。
【００１４】
なお、前記基端側ストッパー柵１０は、前記上部籠載置フレーム３の基端縁と一体に突設されるのではなく、該基端側ストッパー柵１０を構成する上部杆１０ａの両端部が前記フレーム２に軸支されて、前方側へ回動可能に設置することが推奨される。
【００１５】
すなわち、基端側ストッパー柵１０を前記構成とすることにより、多数のショッピングカートＳを前後に多数重ねて収容する際に、前方側に位置するショッピングカートＳの基端側ストッパー柵１０は、後方側に位置するショッピングカートＳの先端側ストッパー柵８に押圧されて、前方側へ回動して後方側のショッピングカートＳの上部籠載置フレーム３を受け入れ、多数のショッピングカートＳを隙間なく重ねて収容することができる。
【００１６】
前記構成より成る上部籠載置フレーム３を備えたショッピングカートＳの籠載置部７上に買い物籠６を載置すると、前記籠載置部７の頂部７ａが開口部１１側寄りに偏位しているため、該買い物籠６の底面の略４分の３以上は、該籠載置部７を構成する長い傾斜部１３上に載置されると共に、図４に示すように、前記買い物籠６の側面部が一方側ストッパー柵９に接触して、前記開口部１１側と反対側へ傾斜するので、該開口部１１側から該買い物籠６が落下する虞れはない。
【００１７】
そして、各買い物籠６に買い求めようとする商品を入れて、買い物籠６を載置したままショッピングカートＳをレジカウンターＣまで移動させて、買い物籠６を持ち上げることなく、前記開口部１１から上部籠載置フレーム３よりは下方位置にあるレジカウンターＣ上へ短い傾斜部１２を利用してスライドさせて移載することができる。なお、この移載作業は、買い物客が前記買い物籠６を押圧したり、店員が引寄せたりして行うことができる。
【実施例２】
【００１８】
本発明の実施例２を図面に基づいて詳細に説明するが、実施例２は、前記実施例１の変型であり、図５は、本発明の実施例２を示すショッピングカートの全体の斜視図である。なお、実施例１と共通する符号は、そのまま用いて説明する。
【００１９】
すなわち、前記実施例１においては、図１に示すように、籠載置部７が、開口部１１側寄りに頂部７ａが偏位した短い傾斜部１２と、該短い傾斜部１２の前記一方側ストッパー柵９寄りに長い傾斜部１３とを連設して形成されているのに対し、実施例２においては、図５に示すように、籠載置部３１が、一方側ストッパー柵３２寄りに頂部３１ａが偏位した短い傾斜部３３と、開口部３４側寄りに長い傾斜部３５とを連設して形成されている。
【００２０】
前記構成より成る実施例２のショッピングカートによれば、長い傾斜部３５の傾斜角度を大きく（緩く）設定することにより、開口部３４より買い物籠６が落下することはない。そして、その他の作用・効果については、実施例１のものと同一であるので、説明を省略する。
【実施例３】
【００２１】
本発明の実施例３を図面に基づいて詳細に説明するが、実施例３は、前記実施例１の変型であり、図６は、本発明の実施例３を示すショッピングカートの全体の斜視図である。なお、実施例１と共通する符号は、そのまま用いて説明する。
【００２２】
すなわち、前記実施例１においては、図１に示すように、籠載置部７が、開口部１１側寄りに頂部７ａが偏位した短い傾斜部１２と、該短い傾斜部１２の前記一方側ストッパー柵９寄りに長い傾斜部１３とを連設して形成されているのに対し、実施例３においては、図６に示すように、籠載置部４１が、頂部４１ａを中央部に設けて、一方側ストッパー柵４２側の傾斜部４３と、開口部４４側の傾斜部４５の傾斜角度を同一にして形成されている。
【００２３】
前記構成より成る実施例３のショッピングカートによれば、籠載置部４１の一方側ストッパー柵４２側の傾斜部４３と、開口部４４側の傾斜部４５の傾斜角度が同一であるので、実施例１と同様に、買い物籠６の側面部を前記一方側ストッパー柵４２に接触するように載置することによって、該買い物籠６が前記開口部４４より落下することはない。そして、その他の作用・効果については、実施例１のものと同一であるので、説明を省略する。
【実施例４】
【００２４】
本発明の実施例４を図面に基づいて詳細に説明する。図７は、本発明の実施例４におけるショッピングカートの全体の斜視図であり、ハンドル１を上方に備えた支柱フレーム２の前方側に、上下２段に亘って、上・下部籠載置フレーム３・４が間隔を有して突設され、且つ該下部籠載置フレーム４の下面の各隅角部には、それぞれ４個のキャスター５が回転自在なるよう装置されている。なお、前記上部籠載置フレーム３は、レジカウンターＣよりやや高い位置に配設されている。
【００２５】
また、前記上部籠載置フレーム３は、少なくとも１個の買い物籠６を載置できる巾と長さを有するプレート状の籠載置部５１を備え、且つ前記上部籠載置フレーム３の先端縁に先端側ストッパー柵８を突設すると共に、該先端側ストッパー柵８の一方側の端縁と前記支柱フレーム２とを連結するようにして一方側ストッパー柵９を突設し、且つ前記上部籠載置フレーム３の基端縁に基端側ストッパー柵１０を突設して、前記先端側ストッパー柵８の他方側の端縁から前記支柱フレーム２まで達する開口部１１を設け、更に、前記籠載置部５１は、図８に示すように、前記開口部１１側寄りに頂部５１ａが偏位した短い傾斜面５２と、該短い傾斜面５２の前記一方側ストッパー柵９寄りに長い傾斜面５３とを連設して形成されている。
【００２６】
なお、実施例４においても、実施例１と同様、前記基端側ストッパー柵１０は、前記上部籠載置フレーム３の基端縁と一体に突設されるのではなく、該基端側ストッパー柵１０を構成する上部杆１０ａの両端部が前記フレーム２に軸支されて、前方側へ回動可能に設置することが推奨される。
【００２７】
すなわち、基端側ストッパー柵１０を前記構成とすることにより、多数のショッピングカートＳを前後に多数重ねて収容する際に、前方側に位置するショッピングカートＳの基端側ストッパー柵１０は、後方側に位置するショッピングカートＳの先端側ストッパー柵８に押圧されて、前方側へ回動して後方側のショッピングカートＳの上部籠載置フレーム３を受け入れ、多数のショッピングカートＳを隙間なく重ねて収容することができる。
【００２８】
前記構成より成る上部籠載置フレーム３を備えたショッピングカートＳの籠載置部５１上に買い物籠６を載置すると、前記実施例１と同様、前記籠載置部５１の頂部５１ａが開口部１１側寄りに偏位しているため、該買い物籠６の底面の略４分の３以上は、該籠載置部７を構成する長い傾斜面５３上に載置されると共に、図示していないが、前記実施例１の場合と同様、前記買い物籠６の側面部が一方側ストッパー柵９に接触して、前記開口部１１側と反対側へ傾斜するので、該開口部１１側から該買い物籠６が落下する虞れはない。
【００２９】
そして、各買い物籠６に買い求めようとする商品を入れて、買い物籠６を載置したままショッピングカートＳをレジカウンターＣまで移動させて、買い物籠６を持ち上げることなく、前記開口部１１から上部籠載置フレーム３よりは下方位置にあるレジカウンターＣ上へ短い傾斜面５２を利用してスライドさせて移載することができる。なお、この移載作業は、買い物客が前記買い物籠６を押圧したり、あるいは店員が引寄せたりして行うことができる。なお、前記短い傾斜面５２と長い傾斜面３３の両方、またはいずれかに広告５４を表示することにより、広告効果を大ならしめることができる。
【実施例５】
【００３０】
本発明の実施例５を図面に基づいて詳細に説明するが、実施例５は、前記実施例４の変型であり、図９は、本発明の実施例５を示すショッピングカートの全体の斜視図である。なお、実施例４と共通する符号は、そのまま用いて説明する。
【００３１】
すなわち、前記実施例４においては、図７に示すように、籠載置部５１が、開口部１１側寄りに頂部５１ａが偏位した短い傾斜面５２と、該短い傾斜面５２の前記一方側ストッパー柵９寄りに長い傾斜面５３とを連設して形成されているのに対し、実施例５においては、図９に示すように、籠載置部６１が、一方側ストッパー柵６２寄りに頂部６１ａが偏位した短い傾斜面６３と、開口部６４側寄りに長い傾斜面６５とを連設して形成されている。
【００３２】
前記構成より成る実施例５のショッピングカートによれば、長い傾斜面６５の傾斜角度を大きく（緩く）設定することにより、開口部６４より買い物籠６が落下することはない。そして、その他の作用・効果については、実施例４のものと同一であるので、説明を省略する。
【実施例６】
【００３３】
本発明の実施例６を図面に基づいて詳細に説明するが、実施例６は、前記実施例４の変型であり、図１０は、本発明の実施例６を示すショッピングカートの全体の斜視図である。なお、実施例４と共通する符号は、そのまま用いて説明する。
【００３４】
すなわち、前記実施例４においては、図７に示すように、籠載置部５１が、開口部１１側寄りに頂部５１ａが偏位した短い傾斜面５２と、該短い傾斜面５２の前記一方側ストッパー柵９寄りに長い傾斜面５３とを連設して形成されているのに対し、実施例６においては、図１０に示すように、籠載置部７１が、頂部７１ａを中央部に設けて、一方側ストッパー柵７２側の傾斜面７３と、開口部７４側の傾斜面７５の傾斜角度を同一にして形成されている。
【００３５】
前記構成より成る実施例６のショッピングカートによれば、籠載置部７１の一方側ストッパー柵７２側の傾斜面７３と開口部７４側の傾斜面７５の傾斜角度が同一であるので、実施例４と同様に、買い物籠６の側面部を前記一方側ストッパー柵７２に接触するように載置することによって、該買い物籠６が前記開口部７４より落下することはない。そして、その他の作用・効果については、実施例４のものと同一であるので、説明を省略する。
【図面の簡単な説明】
【００３６】
【図１】本発明の実施例１におけるショッピングカートの斜視図である。
【図２】本発明の実施例１におけるショッピングカートの側面図である。
【図３】本発明の実施例１におけるショッピングカートの上部籠載置フレームの籠載置部上に買い物籠を載置した状態を示す縦断面図である。
【図４】本発明の実施例１におけるショッピングカートから買い物籠をレジカウンターに移載している状態を示す横断面図である。
【図５】本発明の実施例２におけるショッピングカートの斜視図である。
【図６】本発明の実施例３におけるショッピングカートの斜視図である。
【図７】本発明の実施例４におけるショッピングカートの斜視図である。
【図８】本発明の実施例４におけるショッピングカートの籠載置部の縦断面図である。
【図９】本発明の実施例５におけるショッピングカートの斜視図である。
【図１０】本発明の実施例６におけるショッピングカートの斜視図である。
【符号の説明】
【００３７】
１  ハンドル
２  支柱フレーム
３  上部籠載置フレーム
４  下部籠載置フレーム
５  キャスター
６  買い物籠
７  籠載置部
７ａ  頂部
８  先端側ストッパー柵
９  一方側ストッパー柵
１０  基端側ストッパー柵
１１  開口部
１２  短い傾斜部
１３  長い傾斜部
３１  籠載置部
３１ａ  頂部
３２  一方側ストッパー柵
３３  短い傾斜部
３４  開口部
３５  長い傾斜部
４１  籠載置部
４１ａ  頂部
４２  一方側ストッパー柵
４３  傾斜部
４４  開口部
４５  傾斜部
５１  籠載置部
５１ａ  頂部
５２  短い傾斜面
５３  長い傾斜面
５４  広告
６１  籠載置部
６１ａ  頂部
６２  一方側ストッパー柵
６３  短い傾斜面
６４  開口部
６５  長い傾斜面
７１  籠載置部
７１ａ  頂部
７２  一方側ストッパー柵
７３  傾斜面
７４  開口部
７５  傾斜面
【図１】
2008120191.tif 000003
【図２】
2008120191.tif 000004
【図３】
2008120191.tif 000005
【図４】
2008120191.tif 000006
【図５】
2008120191.tif 000007
【図６】
2008120191.tif 000008
【図７】
2008120191.tif 000009
【図８】
2008120191.tif 000010
【図９】
2008120191.tif 000011
【図１０】
2008120191.tif 000012